(57)【特許請求の範囲】
【請求項１】
マトリクス状に配置した陽極線と陰極線の各交点位置に発光素子を接続し、前記陽極線と前記陰極線のいずれか一方の側を走査線とするとともに他方の側を信号線とし、前記走査線を所定周期で走査しながら、該走査と同期して前記信号線のうち、所望の信号線の交点位置に接続された前記発光素子を発光させるようにした単純マトリクス駆動方式からなる発光素子の駆動方法において、
選択済み走査線から次の走査線へ切換える途中に、該選択済みの走査線を電源電圧に接続するとともに、残りの走査線と全ての前記信号線とをアース電圧に接続することで、選択済みの走査線上の発光素子に逆バイアスを印加し、残りの走査線上の発光素子に充電された電荷を放電させることを特徴とする発光素子の駆動方法。
【請求項２】
前記発光素子は電流注入型発光素子であることを特徴とする請求項１に記載の発光素子の駆動方法。
【請求項３】
前記電流注入型発光素子は、有機ＥＬであることを特徴とする請求項２に記載の発光素子の駆動方法。
【発明の詳細な説明】
【０００１】
【発明の属する技術分野】
本発明は、発光素子の駆動方法に関するものであり、詳細には容量成分を有する電流注入型発光素子に関し、例えば有機ＥＬ（エレクトロルミネッセンス）に適用可能である。
【０００２】
【従来の技術】
従来、有機ＥＬの駆動方法として特開平９−２３２０７４号公報に記載されたものがある。
【０００３】
図７はこの公報の従来技術の説明の欄に記載された発明を示すものである。この図７の駆動方法は、単純マトリクス駆動方式とよばれるもので、陽極線Ａ１〜Ａｍと陰極線Ｂ１〜Ｂｎをマトリクス状に配置し、このマトリクス状に配置した陽極線と陰極線のいずれか一方を一定の時間間隔で順次選択して走査するとともに、この走査線に同期して他方の線を駆動源たる電流源１１〜１ｍでドライブしてやることにより、任意の交点位置の発光素子を発光させるようにしたものである。
【０００４】
陰極線Ｂ１〜Ｂｎには順次走査を行うために、電源電圧（ＶＣＣ）またはアース電位（０Ｖ）を選択するための走査スイッチ２１〜２ｎが接続されている。走査スイッチ２１〜２ｎを一定時間間隔で順次アース端子側へ切り替えながら走査していくことにより、陰極線Ｂ１〜Ｂｎに対してアース電位（０Ｖ）を順次与えていく。一方、陽極線Ａ１〜Ａｍには、駆動源たる電流源１１〜１ｍまたはアース電位（０Ｖ）を選択するためのドライブスイッチ３１〜３ｍが接続されている。前記走査スイッチに同期してドライブスイッチ３１〜３ｍをオンオフ制御することにより陽極線Ａ１〜Ａｍに電流源１１〜１ｍを接続し、所望の交点位置の発光素子に駆動電流を供給する。
【０００５】
例えば、発光素子Ｅ１，２とＥ１，３を発光させる場合を例にとると、図示するように、走査スイッチ２１がアース側に切り替えられ、第１の陰極線Ｂ１にアース電位が与えられている時に、ドライブスイッチ３２と３３を電流源側に切り替え、陽極線Ａ２とＡ３に電流源１２と１３を接続してやればよい。このような走査とドライブを高速で繰り返すことにより、任意の位置の発光素子を発光させるとともに、各発光素子があたかも同時に発光しているように制御するものである。
【０００６】
走査中の陰極線Ｂ１以外の他の陰極線Ｂ２〜Ｂｎには電源電圧と同電位の逆バイアス電圧ＶＣＣを印加してやることにより、誤発光を防止している。
【０００７】
ところで、各交点位置に接続された発光素子Ｅ１，１〜Ｅｎｍのそれぞれは、図８にその等価回路を示すように、ダイオード特性からなる発光エレメントＥと、これに並列接続された寄生容量Ｃとで表すことができるが、前述した駆動法では、この等価回路中の寄生容量Ｃのために次のような問題があった。
【０００８】
すなわち、図９（Ａ）（Ｂ）は前記図７中の陽極線Ａ１に接続された発光素子Ｅ１，１〜Ｅｎ，１部分だけを抜き出し、それぞれの発光素子Ｅ１，１〜Ｅｎ，１を前記寄生容量Ｃだけを用いて図示したものである。一方、図９（Ｃ）（Ｄ）は前記図７中の陽極線Ａ２に接続された発光素子Ｅ１，２〜Ｅｎ，２部分だけを抜き出し、それぞれの発光素子Ｅ１，２〜Ｅｎ，２を前記寄生容量Ｃだけを用いて図示したものである。
【０００９】
陰極線Ｂ１の走査時に陽極線Ａ１がドライブされていない場合には、（Ａ）に示すように、現在走査中の陰極線Ｂ１につながれた発光素子Ｅ１，１の寄生容量Ｃ１，１を除く他の発光素子Ｅ２，１〜Ｅｎ，１の寄生容量Ｃ２，１〜Ｃｎ，１は、各陰極線Ｂ２〜Ｂｎに与えられた逆バイアス電圧ＶＣＣによって図示のような向きに充電されている。
【００１０】
一方、陰極線Ｂ１の走査時に陽極線Ａ２がドライブされている場合には、（Ｃ）に示すように、現在走査中の陰極線Ｂ１につながれた発光素子Ｅ１，２の寄生容量Ｃ１，２のみに図示の方向に充電され、発光素子Ｅ２，２〜Ｅｎ，２の寄生容量Ｃ２，２〜Ｃｎ，２にはほとんど充電されていない。
【００１１】
次に走査位置が陰極線Ｂ１から次の陰極線Ｂ２に移った際に、陽極線Ａ１およびＡ２をドライブし発光素子Ｅ２，１およびＥ２，２を発光させる場合を考える。発光素子Ｅ２，１を発光させるためにＡ１をドライブした場合の回路状態は（Ｂ）に示すようなものとなり、発光素子Ｅ２，２を発光させるためにＡ２をドライブした場合の回路状態は（Ｄ）に示すようになる。
【００１２】
発光素子Ｅ２，１を発光させる場合、（Ｂ）に示すように発光させるべき発光素子Ｅ２，１の寄生容量Ｃ２，１が充電されるばかりでなく、他の陰極線Ｂ３〜Ｂｎに接続された発光素子Ｅ３，１〜Ｅｎ，１の寄生容量Ｃ３，１〜Ｃｎ，１に対しても矢印で示すような向きに電流が流れ込んで充電が行われる。一方、発光素子Ｅ２，２を発光させる場合には、（Ｄ）に示すように発光させるべき発光素子Ｅ２，２の寄生容量Ｃ２，２のみに充電が行われる。すなわち、発光素子Ｅ２，１とＥ２，２を発光させるために行う充電量は大きく異なるため、発光素子Ｅ２，１とＥ２，２の両端の電圧が発光に必要な電圧に立上るまでの時間が大きく異なることになる。その結果、発光素子Ｅ２，１とＥ２，２の明るさは異なり、輝度むらとなり問題となる。
【００１３】
特開平９−２３２０７３号公報に記載された発明では、上記のような、マトリクス配置された陽極線と陰極線との交点に有機ＥＬ素子を接続し、これら線の何れかを線順次駆動することにより、上記有機ＥＬ素子を発光させる単純マトリクス駆動型の駆動方法において、次の走査線への切り換わり時に全ての走査線を一旦同じ電位からなる所定の電圧に接続するものである。そして、このような構成によって電圧印加から発光するまでの立ち上がり速度を早くしようとするものである。
【００１４】
この特開平９−２３２０７３号公報に記載された発明の概要を図１０〜図１２を用いて説明する。まず、図１０では、走査スイッチ２１が０Ｖ側に切り換えられ、陰極線Ｂ１が走査されている。他の陰極線Ｂ２〜Ｂｎには、走査スイッチ２２〜に２ｎより逆バイアス電圧が印加されている。さらに陽極線Ａ１とＡ２には、ドライブスイッチ３１と３２によって電流源１１、１２が接続されている。また、他の陽極線Ａ３〜Ａｍには０Ｖがドライブスイッチ３３〜３ｍによって、０Ｖが与えられている。
【００１５】
従って、図１０の場合、発光素子Ｅ１，１とＥ１，２のみが順方向にバイアスされ、電流源１１と１２から矢印のように駆動電流が流れ込み、発光素子Ｅ１，１とＥ１，２のみが発光している。この図１０の状態では、コンデンサにハッチングして示した発光素子は、それぞれ図のような極性の向きに充電された状態となっている。この図１０の状態から図１２の発光素子Ｅ２，１とＥ２，３が発光する状態に走査を移行する際に、図１１に示すようなリセット制御が行われる。
【００１６】
即ち、走査が図１０の陰極線Ｂ１から図１２の陰極線Ｂ２に移行する前に、図１１に示すように、すべてのドライブスイッチ３１〜３ｍおよび走査スイッチ２１〜２ｎを０Ｖ側に切り換え、陽極線Ａ１〜Ａｍ、陰極線Ｂ１〜Ｂｎのすべてを一旦０Ｖとし、各発光素子に充電されていた電荷を放電する。
【００１７】
すべての発光素子の充電電荷を０にした後、図１２に示すように陰極線Ｂ２に対応する走査スイッチ２２のみを０Ｖ側に切り換え、陰極線Ｂ２の走査を行う。陽極線Ａ１とＡ３には、ドライブスイッチ３１と３３によって電流源１１、１３が接続されている。また、他の陽極線Ａ２、Ａ４〜Ａｍには０Ｖがドライブスイッチ３２、３４〜３ｍによって、０Ｖが与えられている。従って、図１２の場合、発光素子Ｅ２，１とＥ２，３のみが順方向にバイアスされ、電流源１１と１３から矢印のように駆動電流が流れ込み、発光素子Ｅ２，１とＥ２，３のみが発光している。
【００１８】
この時、陰極線Ｂ２の走査の前に、すべての発光素子の充電電荷を０Ｖとするため、図９に示したような陰極線Ｂ１の走査時の発光の状態によって生じる充電状態の違い（図（Ａ）（Ｃ））はキャンセルされる。その結果、発光素子Ｅ２，１とＥ２，３の発光の立上りはほぼ同時となり、輝度むらの問題は解決される。
【００１９】
ところで、有機ＥＬなどの発光素子を駆動する際には、素子の長寿命化を図るために、発光素子に逆バイアス電圧を印加することが好ましいことがわかっている。即ち、上記従来技術の場合、陰極線にＶＣＣを印加し、陽極線に０Ｖを印加し、各発光素子に−ＶＣＣの逆バイアスが印可された状態が１フレーム周期に最低一度は起こることが好ましい。
【００２０】
上記従来技術の場合に各発光素子がどのような電圧が印加されるかを考えると図１３に示すようになる。
【００２１】
図１３において、陽極線Ａ１上の発光素子Ｅ１，１、Ｅ２，１、Ｅ３，１、…、Ｅｎ，１はすべて発光しているものとし、陽極線Ａ２上の発光素子Ｅ１，２、Ｅ２，２、Ｅ３，２、…、Ｅｎ２は交互に発光非発光を繰り返すものとする。図１３において発光素子Ｅ１，１およびＥ１，２に印加される電圧を示している。発光素子Ｅ１，１には陽極線Ａ１の電圧と陰極線Ｂ１の電圧の差が印加され、発光素子Ｅ１，２には陽極線Ａ２の電圧と陰極線Ｂ１の電圧の差が印加される。
【００２２】
【発明が解決しようとする課題】
発光素子Ｅ１，２に印加される電圧を見ると、例えばＥ２，２が非発光となる期間において逆バイアス電圧が印加されていることがわかる。
【００２３】
しかしながら、発光素子Ｅ１，１に印加される電圧を見ると、陽極線Ａ１上の発光素子はすべて発光するため、逆バイアスが印加される期間が一度もない。即ち、発光素子の寿命において好ましくない。
【００２６】
本発明は上記のような問題を解決するためになされたもので、その目的は発光素子の充電状態の違いから発生する輝度むらの対策と長寿命化のための逆バイアスの印加を同時に実現する発光素子の駆動方法を提供することである。
【００２７】
【課題を解決するための手段】
本発明は上記課題を解決するため、次のような手段を採用した。即ち、請求項１記載の発明は、マトリクス状に配置した複数の陽極線と複数の陰極線の各交点位置に発光素子を接続し、前記陽極線と前記陰極線のいずれか一方の側を走査線とするとともに他方の側を信号線とし、前記走査線を所定周期で走査しながら、該走査と同期して前記信号線のうち、所望の信号線の交点位置に接続された前記発光素子を発光させるようにした単純マトリクス駆動方式からなる発光素子の駆動方法において、選択済み走査線から次の走査線へ切換える途中に、該選択済みの走査線を電源電圧に接続するとともに、残りの走査線と全ての前記信号線とをアース電圧に接続することで、選択済みの走査線上の発光素子に逆バイアスを印加し、残りの走査線上の発光素子に充電された電荷を放電させる。
【００３０】
請求項１の記載によれば、選択済み走査線から次の走査線へ切換える途中で、該選択済みの走査線に、長寿命化のための逆バイアスが印加される。また、走査線の発光状態による画素の充電状態の違いがキャンセルされ、充電状態の違いによる輝度むらの発生が抑制される。
【００３５】
ここで、発光素子は請求項２に記載のような電流注入型発光素子であることが好ましく、それには請求項３に記載の有機ＥＬを適用することができる。
【００３６】
【発明の実施の形態】
以下、本発明の実施の形態について図面を参照して説明する。
【００３７】
図１から図６に本発明に係る第１の駆動方法を示す。この駆動方法は、走査線が次の陰極線へ移る際に、ｎ本の陰極線のうち１本を電源電圧に接続し、残りの（ｎ−１）本の陰極線をアース電位に落とした場合の例である。
【００３８】
図１から図５において、Ａ１〜Ａ２５６は陽極線、Ｂ１〜Ｂ６４は陰極線、Ｅ１，１〜Ｅ６４，２５６は各交点位置につながれた発光素子である。
【００３９】
陰極線Ｂ１〜Ｂ６４には順次走査を行うために、電源電圧（ＶＣＣ）またはアース電位（０Ｖ）を選択するための走査スイッチ２１〜２６４が接続されている。また、陽極線Ａ１〜Ａ２５６には、駆動源たる電流源１１〜１２５６またはアース電位（０Ｖ）を選択するためのドライブスイッチ３１〜３２５６が接続されている。
【００４０】
次に図１〜図５を参照して、本実施例の発光動作について説明する。なお、以下に述べる動作は、陰極線Ｂ１を走査して発光素子Ｅ１，１、Ｅ１，２を発光させた後、陰極線Ｂ２に走査を移してＥ２，１、Ｅ２，３を発光させ、更に陰極線Ｂ３に走査を移してＥ３，１、Ｅ３，２を発光させる場合を例にとって説明する。また、説明を分かりやすくするために、発光している発光素子についてはダイオード記号で示し、発光していないは発光素子についてはコンデンサ記号で示した。
【００４１】
まず、図１では走査スイッチ２１がＯＶ側に切り換えられ、陰極線Ｂ１が走査されている。他の陰極線Ｂ２〜Ｂ６４には、走査スイッチ２２〜２６４により電源電圧ＶＣＣが印加されている。更に陽極線Ａ１とＡ２には、ドライブスイッチ３１と３２によって電流源１１と１２が接続されている。他の陽極線Ａ３〜Ａ２５６には、ドライブスイッチ３３〜３２５６によって０Ｖが与えられている。
【００４２】
従って図１の場合、発光素子Ｅ１，１とＥ１，２のみが順方向にバイアスされ、電流源１１と１２から矢印のように駆動電流が流れ込み、発光素子Ｅ１，１とＥ１，２のみが発光している。この図１の状態では、コンデンサにハッチングして示した発光素子は、それぞれ図のような極性の向きに充電された状態となっている。この図１の発光状態から図３の発光素子Ｅ２，１とＥ２，３が発光する状態に走査を移行する際に、図２に示すような制御を行う。
【００４３】
即ち、走査が図１の陰極線Ｂ１から図３の陰極線Ｂ２に移行する前に、図２に示すように、すべてのドライブスイッチ３１〜３２５６と走査スイッチ２１を除くすべての走査スイッチ２２〜２６４を０Ｖ側に切り換えるとともに、走査スイッチ１１を電源電圧側に切り換える。このとき、各発光素子への充電状態は図２に示すように、走査線Ｂ１上の発光素子は逆バイアスに充電されるのに対し、陰極線Ｂ２〜Ｂ６４上の発光素子の充電電荷は０となる。
【００４４】
従来駆動方法では走査線の切り換わり時に、すべての陰極線と陽極線を０Ｖとするため、すべての発光素子の充電電荷は０となり、発光素子に逆バイアスが印加されることはないが、本実施例では陰極線Ｂ１上の発光素子には必ず逆バイアスが印加されることとなる。また、図２に示すように走査線の切り換え時には、すべての陽極線の発光素子への充電状態は同一状態となるため、次の陰極線Ｂ２上の発光素子を発光させる際の発光の立上りはほぼ同時となり、輝度むらとはならない。
【００４５】
前記のようにして、陰極線Ｂ１上の発光素子に逆バイアス電位を印加した後、図３に示すように、陰極線Ｂ３〜Ｂ６４に対応する走査スイッチ２３〜２６４を電源電圧ＶＣＣ側に切り換え、陰極線Ｂ２の走査を行う。これと同時に、ドライブスイッチ３１と３３を電流源１１と１３側に切り換え、発光素子Ｅ２，１とＥ２，３を発光させる。この図３の状態では、コンデンサにハッチングして示した発光素子は、それぞれ図３のような極性の向きに充電された状態となっている。この図３の発光状態から図５の発光素子Ｅ３，１とＥ３，２が発光する状態に走査を移行する際に、図４に示すような制御を行う。
【００４６】
即ち、走査が図３の陰極線Ｂ２から図５の陰極線Ｂ３に移行する前に、図４に示すように、すべてのドライブスイッチ３１〜３２５６と走査スイッチ１２を除くすべての走査スイッチ１１、１３〜１６４を０Ｖ側に切り換えるとともに、走査スイッチ１２を電源電圧側に切り換える。このとき、各発光素子への充電状態は図４に示すように、走査線Ｂ２上の発光素子は逆バイアスに充電されるのに対し、陰極線Ｂ１、Ｂ３〜Ｂ６４上の発光素子の充電電荷は０となる。
【００４７】
この時、図４に示すように、陰極線Ｂ２上の発光素子には必ず逆バイアスが印加されることとなる。また、すべての陽極線の発光素子への充電状態は同一状態となるため、次の陰極線Ｂ３上の発光素子を発光させる際の発光の立上りはほぼ同時となり、輝度むらとはならない。
【００４８】
前記のようにして、陰極線Ｂ２上の発光素子に逆バイアス電位を印加した後、図５に示すように、陰極線Ｂ１、Ｂ２、Ｂ４〜Ｂ６４に対応する走査スイッチ２１、２２、２４〜２６４を電源電圧ＶＣＣ側に切り換え、陰極線Ｂ３の走査を行う。これと同時に、ドライブスイッチ３１と３２を電流源１１と１２側に切り換え、発光素子Ｅ３，１とＥ３，２を発光させる。
【００４９】
以上のような動作を陰極線Ｂ６４を走査するまで行う。
【００５０】
前記のような駆動方法をした場合、陰極線Ｂ１からＢ２への切り換え時には陰極線Ｂ１上の発光素子に逆バイアス電圧が印加され、陰極線Ｂ２からＢ３への切り換え時には陰極線Ｂ２上の発光素子に逆バイアス電圧が印加させる。よって、陰極線Ｂ６４まで走査することによって、すべての陰極線上の発光素子に少なくとも１度は逆バイアス電圧が印加されることになる。また、走査の切り換わり時に、すべての陽極線の発光素子への充電状態は同一状態となるため、次の陰極線上の発光素子を発光させる際の発光の立上りはほぼ同時となり、輝度むらとはならない。
【００５１】
図６は陰極線、各陽極線におよび発光素子に印加される電圧を示している。
【００５２】
図６において、陽極線Ａ１上の発光素子Ｅ１，１、Ｅ２，１、Ｅ３，１、…、Ｅ６４，１はすべて発光しているものとし、陽極線Ａ２上の発光素子Ｅ１，２、Ｅ２，２、Ｅ３，２、…、Ｅ６４，２は交互に発光非発光を繰り返すものとする。発光素子Ｅ１，１には陽極線Ａ１の電圧と陰極線Ｂ１の電圧の差が印加され、発光素子Ｅ１，２には陽極線Ａ２の電圧を陰極線Ｂ１の電圧の差が印加される。従来の駆動方法（図１３）では、発光素子Ｅ１，１には逆バイアスが印加される期間が一度もなかったが、本実施例では陰極線Ｂ１からＢ２への切り換わり時に逆バイアス電圧が印加されていることがわかる。
【００５３】
以上述べたように、本実施例の第一の駆動法では、選択済み走査線から次の走査線に移行する前に、陰極線のうちの１本を電源電圧に接続し、その他の陰極線を０Ｖに印加することにより、充電状態の違いによる輝度むらを対策するとともに、走査線の切り換わり時に長寿命化のための逆バイアスの印加が可能となる。
【００５４】
また、本実施例では、走査線の切り換わり時に、陰極線を１本のみ電源電圧に接続し、残りの陰極線を０Ｖに印加したが、電源電圧に接続する陰極線を２本、３本、…と増やしても同様な効果が得られる。
【００５５】
図１４から図１６に本発明に係る第２の駆動方法を示す。この駆動方法は、走査線が次の陰極線へ移る際に、ｎ本の陰極線のうち１本を電源電圧とは異なる負電位（−Ｖｄｄ）に接続し、残りの（ｎ−１）本の陰極線をアース電位に落とした場合の例である。
【００５６】
負電位Ｖｄｄを印加するために、本実施例では走査スイッチ２１〜２６４は電源電圧ＶＣＣとアース電位、負電位−Ｖｄｄに切り換え可能な構成となっている。ただし、電圧Ｖｄｄは発光素子の発光敷居値以下の電圧とする。
【００５７】
まず、図１４では走査スイッチ２１がＯＶ側に切り換えられ、陰極線Ｂ１が走査されている。他の陰極線Ｂ２〜Ｂ６４には、走査スイッチ２２〜２６４により電源電圧ＶＣＣが印加されている。更に陽極線Ａ１とＡ２には、ドライブスイッチ３１と３２によって電流源１１と１２が接続されている。他の陽極線Ａ３〜Ａ２５６には、ドライブスイッチ３３〜３２５６によって０Ｖが与えられている。
【００５８】
従って図１４の場合、発光素子Ｅ１，１とＥ１，２のみが順方向にバイアスされ、電流源１１と１２から矢印のように駆動電流が流れ込み、発光素子Ｅ１，１とＥ１，２のみが発光している。
【００５９】
次に、走査が図１４の陰極線Ｂ１から図１６の陰極線Ｂ２に移行する前に、図１５に示すように、すべてのドライブスイッチ３１〜３２５６と走査スイッチ１２を除くすべての走査スイッチ１１、１３〜１６４を０Ｖ側に切り換えるとともに、走査スイッチ１２をｆ負電源−Ｖｄｄに切り換える。このとき、各発光素子への充電状態は図１５に示すように、走査線Ｂ２上の発光素子は順バイアスＶｄｄに充電されるのに対し、陰極線Ｂ１、Ｂ３〜Ｂ６４上の発光素子の充電電荷は０となる。ただし、Ｖｄｄは発光素子の発光敷居値以下であるため、発光素子Ｅ２，１、Ｅ２，２、…、Ｅ２，２５６は発光しない。
【００６０】
前記のようにして、陰極線Ｂ２上の発光素子に順バイアス電位を印加した後、図１６に示すように、陰極線Ｂ１、Ｂ３〜Ｂ６４に対応する走査スイッチ２１、２３〜２６４を電源電圧ＶＣＣ側に切り換えると同時に、陰極線Ｂ２に対応するスイッチ２２を０Ｖ側に切り換え、陰極線Ｂ２の走査を行う。これと同時に、ドライブスイッチ３１と３２を電流源１１と１２側に切り換え、発光素子Ｅ３，１とＥ３，２を発光させる。
【００６１】
このとき、走査線Ｂ２上の発光素子Ｅ２，１、Ｅ２，２、…、Ｅ２，２５６は順バイアスＶｄｄに充電されているため、発光の立上りが速くなり高速走査が可能となる。
【００６２】
本実施形態では、走査線の切り換わり時に、陰極線を１本のみ負電圧Ｖｄｄに接続し、残りの陰極線を０Ｖに印加したが、電源電圧に接続する陰極線を２本、３本、…と増やしても同様な効果が得られる。
【００６３】
又、本実施形態では、発光素子として有機ＥＬ素子を採用したが、これに限定されることはなく、例えば発光ダイオード等のように、ダイオード特性を有し、かつ容量成分を有した電流注入型発光素子であれば本発明を適用することが可能である。
【図面の簡単な説明】
【図１】本発明の第１駆動方法の第１ステップの説明に供する等価回路図である。
【図２】本発明の第１駆動方法の第２ステップの説明に供する等価回路図である。
【図３】本発明の第１駆動方法の第３ステップの説明に供する等価回路図である。
【図４】本発明の第１駆動方法の第４ステップの説明に供する等価回路図である。
【図５】本発明の第１駆動方法の第５ステップの説明に供する等価回路図である。
【図６】本発明の第１駆動方法の駆動方法の説明に供するタイミングチャートの図である。
【図７】従来の駆動方法の説明に供する等価回路図である。
【図８】従来の駆動方法の説明に供する等価回路図である。
【図９】Ａ、Ｂ、Ｃ、Ｄは従来の駆動方法の説明に供する等価回路図である。
【図１０】従来の他の駆動方法の第１ステップの説明に供する等価回路図である。
【図１１】従来の他の駆動方法の第２ステップの説明に供する等価回路図である。
【図１２】従来の他の駆動方法の第３ステップの説明に供する等価回路図である。
【図１３】従来の他の駆動方法の説明に供するタイミングチャートの図である。
【図１４】本発明の第２駆動方法の第１ステップの説明に供する等価回路図である。
【図１５】本発明の第２駆動方法の第２ステップの説明に供する等価回路図である。
【図１６】本発明の第２駆動方法の第３ステップの説明に供する等価回路図である。
【符号の説明】
Ａ１〜Ａ２５６  陽極線
Ｂ１〜Ｂ６４  陰極線
Ｅ１，１〜Ｅ６４，２５６  発光素子
１１〜１２５６  走査スイッチ
２１〜２６４  走査スイッチ
３１〜３２５６  ドライブスイッチ
ＶＣＣ  電源電圧
−Ｖｄｄ  負電源
【図１】
0004670183.tif 000002
【図２】
0004670183.tif 000003
【図３】
0004670183.tif 000004
【図４】
0004670183.tif 000005
【図５】
0004670183.tif 000006
【図６】
0004670183.tif 000007
【図７】
0004670183.tif 000008
【図８】
0004670183.tif 000009
【図９】
0004670183.tif 000010
【図１０】
0004670183.tif 000011
【図１１】
0004670183.tif 000012
【図１２】
0004670183.tif 000013
【図１３】
0004670183.tif 000014
【図１４】
0004670183.tif 000015
【図１５】
0004670183.tif 000016
【図１６】
0004670183.tif 000017